(57)【要約】【課題】  移動体が備える複数の通信端末を用いて移動体に存する複数の人の間で通信を行い易くする。【解決手段】  管理センタと、移動体を有する無線通信システムにおいて、前記移動体は、表示部と、複数の通信端末と、前記複数の通信端末のうちの一つ以上の通信端末と外部の装置との間の無線通信処理を実行する無線通信手段と、前記複数の通信端末のうちの二つ以上の通信端末の間の通信処理を実行する内部通信手段と、前記無線通信手段による無線通信が行われる状態と前記内部通信手段による通信が行われる状態とを切り替える切替手段と、を備え、前記表示部は、前記複数の通信端末の何れかの操作に従って所定の項目の一覧表示がされ、該一覧表示された項目の何れかを選択する操作に従って当該項目の詳細情報が表示されることを特徴とする無線通信システム。【選択図】  図１
2008187483.tif 000002
【特許請求の範囲】
【請求項１】
管理センタと、移動体を有する無線通信システムにおいて、
前記移動体は、表示部と、複数の通信端末と、
前記複数の通信端末のうちの一つ以上の通信端末と外部の装置との間の無線通信処理を実行する無線通信手段と、
前記複数の通信端末のうちの二つ以上の通信端末の間の通信処理を実行する内部通信手段と、
前記無線通信手段による無線通信が行われる状態と前記内部通信手段による通信が行われる状態とを切り替える切替手段と、を備え、
前記表示部は、前記複数の通信端末の何れかの操作に従って所定の項目の一覧表示がされ、
該一覧表示された項目の何れかを選択する操作に従って当該項目の詳細情報が表示されることを特徴とする無線通信システム。
【請求項２】
請求項１に記載の無線通信システムにおいて、
前記所定の項目は防災若しくは消防関連情報であって、
当該防災若しくは消防関連情報の連絡先を示す情報が前記詳細情報に含まれることを特徴とする無線通信システム。
【請求項３】
請求項２に記載の無線通信システムにおいて、
前記複数の通信端末の何れかの操作に従って、前記防災若しくは消防関連情報の連絡先を選択することにより当該連絡先との無線通信を行うことを特徴とする無線通信システム。
【請求項４】
請求項１乃至請求項３のいずれか１項に記載の無線通信システムにおいて、
前記移動体は、前記移動体に設置された無線設備本体と、前記無線設備本体と着脱可能である携帯無線機を備え、
前記携帯無線機は、前記外部の装置との間の無線通信処理を実行する携帯無線通信手段を有しており、
前記無線設備本体と前記携帯無線機には、前記外部の装置からの呼出情報として同一の情報が設定された、
ことを特徴とする無線通信システム。
【発明の詳細な説明】
【技術分野】
【０００１】
本発明は、無線設備を設けた移動体を有する無線通信システムなどに関し、特に、移動体に表示部を備えて該表示部に表示された情報に従って通信を行う無線通信システムなどに関する。
【背景技術】
【０００２】
例えば、防災デジタル無線システムの一例である消防デジタル無線システムなどでは、消防車や救急車などの車両に無線設備を搭載して、車両の中に存する人と外部の防災センタなどに存する人との間で無線により通信することが行われる（例えば、特許文献１、非特許文献１〜２参照。）。
【０００３】
【特許文献１】特開平９−１７２６６２号公報
【非特許文献１】ＡＲＩＢ  ＳＴＤ−Ｔ６１、「狭帯域デジタル通信方式（ＳＣＰＣ／ＦＤＭＡ）」、社団法人電波産業会
【非特許文献２】ＡＲＩＢ  ＳＴＤ−Ｔ７９、「市町村デジタル移動通信システム」、社団法人電波産業会
【発明の開示】
【発明が解決しようとする課題】
【０００４】
しかしながら、上記のようなシステムでは、未だに検討が不十分なところもあり、更なる開発が要求されている。特に、車両に複数の通信端末を備え、該複数の通信端末により複数の人の間での通信を行う技術について改良が必要であった。
本発明は、このような従来の事情に鑑みなされたもので、移動体が備える複数の通信端末を用いて移動体に存する複数の人の間で通信を行い易くすることができる無線通信システムなどを提供することを目的とする。
【課題を解決するための手段】
【０００５】
上記目的を達成するため請求項１の記載では、管理センタと、移動体を有する無線通信システムにおいて、  前記移動体は、表示部と、複数の通信端末と、前記複数の通信端末のうちの一つ以上の通信端末と外部の装置との間の無線通信処理を実行する無線通信手段と、前記複数の通信端末のうちの二つ以上の通信端末の間の通信処理を実行する内部通信手段と、前記無線通信手段による無線通信が行われる状態と前記内部通信手段による通信が行われる状態とを切り替える切替手段と、を備え、前記表示部は、前記複数の通信端末の何れかの操作に従って所定の項目の一覧表示がされ、該一覧表示された項目の何れかを選択する操作に従って当該項目の詳細情報が表示されることを特徴とする。
【０００６】
上記目的を達成するため請求項２の記載では、請求項１に記載の無線通信システムにおいて、前記所定の項目は防災若しくは消防関連情報であって、当該防災若しくは消防関連情報の連絡先を示す情報が前記詳細情報に含まれることを特徴とする。
【０００７】
上記目的を達成するため請求項３の記載では、請求項２に記載の無線通信システムにおいて、前記複数の通信端末の何れかの操作に従って、前記防災若しくは消防関連情報の連絡先を選択することにより当該連絡先との無線通信を行うことを特徴とする。
【０００８】
上記目的を達成するため請求項４の記載では、請求項１乃至請求項３のいずれか１項に記載の無線通信システムにおいて、前記移動体は、前記移動体に設置された無線設備本体と、前記無線設備本体と着脱可能である携帯無線機を備え、前記携帯無線機は、前記外部の装置との間の無線通信処理を実行する携帯無線通信手段を有しており、前記無線設備本体と前記携帯無線機には、前記外部の装置からの呼出情報として同一の情報が設定された、ことを特徴とする。
【発明の効果】
【０００９】
以上説明したように、本発明に係る無線通信システムなどによると、移動体において、複数の通信端末のうちの一つ以上の通信端末と外部の装置との間の無線通信処理を実行する状態と、これら複数の通信端末のうちの二つ以上の通信端末の間の通信処理を実行する状態とを切り替えるようにしたため、例えば、移動体の中に存する複数の人の間で通信を行い易くすることができ、特に、消防車や救急車などで大きな効果を発揮することができる。
【発明を実施するための最良の形態】
【００１０】
本発明に係る実施例を図面を参照して説明する。
まず、図１及び図２を参照して、本発明を適用することが可能なシステムの一例を示す。
図１には、本発明の実施の形態に係る防災デジタル無線システムの一例である消防デジタル無線システムの構成例を示してある。
本例の消防デジタル無線システムは、操作部８１と表示部８２と記憶部８３を有する指令装置（指令卓）７１と、回線制御装置（無線回線制御装置）７２より構成される防災センタと、複数であるｐ個の基地局装置Ｇ１〜Ｇｐと、複数であるｐ個の遠隔制御器Ｈ１〜Ｈｐと、複数であるｑ個の移動局装置Ｉ１〜Ｉｑを備えている。
各移動局装置Ｉ１〜Ｉｑは、車載機９１と携帯機９２から構成されており、また、携帯機９２を置くための置台９３を有し、また、車載機９１には、複数のハンドセット５１が接続されている。
【００１１】
本例の消防デジタル無線システムは、例えば各都道府県の地域防災のために用いることができる。本例では、指令装置７１や回線制御装置７２は防災センタに設置されており、各基地局装置Ｇ１〜Ｇｐは消防署内或いは学校や図書館、ビルの上や街中や山上などの外部に設置されており、各遠隔制御器Ｈ１〜Ｈｐは消防署内に設置されており、各移動局装置Ｉ１〜Ｉｑは消防車或いは救急車などの車両に設置されている。
各車両では、例えば、車載機９１や置台９３が当該各車両に取り付けられるなどして搭載されており、携帯機９２は人により持ち運ぶことや置台９３に置くことが可能になっている。
また、ハンドセット５１は車載機にケーブル接続されており、車両内の前部座席付近及び後部座席付近に配置され、車両内の人が車載機の操作端末として用いることができる。
【００１２】
本例の消防デジタル無線システムにおいて行われる動作の概要を示す。
指令装置７１では、操作部８１が人（指令者）により操作されることにより各種の指示や情報を入力し、表示部８２が表示対象となる各種の情報を画面に表示出力し、メモリから構成された記憶部８３が記憶対象となる各種の情報を記憶する。
指令者は、指令装置８１から配下の装置（回線制御装置７２、基地局装置Ｇ１〜Ｇｐ、遠隔制御器Ｈ１〜Ｈｐ、移動局装置Ｉ１〜Ｉｑ）へ各種の指示を送信することができる。また、指令装置７１は配下の装置から受信した各種の情報を画面表示することができ、また、必要な情報は、記憶部８３に保持される。
【００１３】
回線制御装置７２は、例えば有線で指令装置７１と複数の基地局装置Ｇ１〜Ｇｐと接続されており、これらの間の通信を中継し、また、無線回線などに関する各種の制御を行う。
各基地局装置Ｇ１〜Ｇｐは、通信エリアに存在する移動局装置Ｉ１〜Ｉｑとの間で無線により通信し、また、有線で接続された各遠隔制御器Ｈ１〜Ｈｐとの間で通信する。
各遠隔制御器Ｈ１〜Ｈｐは、有線で接続された各基地局装置Ｇ１〜Ｇｐとの間で通信し、例えば、移動局装置と同様な機能を有しており、人（署員）により操作などされる。
各移動局装置Ｉ１〜Ｉｑは、当該各移動局装置Ｉ１〜Ｉｑが位置登録される基地局装置Ｇ１〜Ｇｐとの間で無線により通信する。
【００１４】
図２には、本発明の実施の形態に係る車載機９１及び携帯機９２のブロック図を示してある。
車載機９１は、アンテナ１０１と、無線部１０２と、キー操作部１０３と、表示部１０４と、マイク部１０５と、例えば２つのスピーカを有するスピーカ部１０６と、メモリ１０７と、携帯インタフェース１０８と、制御部１０９を備え、また、複数のハンドセット５１を備えている。
携帯機９２は、アンテナ１１１と、無線部１１２と、キー操作部１１３と、表示部１１４と、マイク部１１５と、スピーカ部１１６と、メモリ１１７と、車載インタフェース１１８と、制御部１１９を備えている。
ここで、車載機９１が有する内部の処理機能と携帯機９２が有する内部の処理機能は、車載機９１には例えば複数のスピーカを備え、また、ハンドセットが接続されているなどの相違はあるが、概略的には、同様である。
【００１５】
車載機９１では、無線部１０２がアンテナ１０１により基地局装置Ｇ１〜Ｇｐとの間で信号を無線送受信し、キー操作部１０３が人（使用者）からのキー操作を受け付け、表示部１０４が情報を表示し、マイク部１０５が音声を入力し、スピーカ部１０６が音声出力し、メモリ１０７が例えば呼び出されるための電話番号となる呼出情報（ＩＤ情報）を記憶し、携帯インタフェース１０８が携帯機９２の車載インタフェース１１８との間で例えば光信号により通信し、制御部１０９が各種の制御を行う。
また、マイク部１０５、スピーカ部１０６の機能をハンドセット５１に持たせており、ハンドセットにより音声入力や出力を行うことができる。
ここで、スピーカ部１０６は車両の前部座席と後部座席に設置され、また、ハンドセット５１も前部座席と後部座席に設置されて、制御部１０９の制御によりハンドセット間の通信を行うことができる。
【００１６】
携帯機９２では、前述した車載機と同様に無線部１１２がアンテナ１１１により基地局装置Ｇ１〜Ｇｐとの間で信号を無線送受信し、キー操作部１１３が人（使用者）からのキー操作を受け付け、表示部１１４が情報を表示し、マイク部１１５が音声を入力し、スピーカ部１１６が音声を出力し、メモリ１１７が例えば呼び出されるための電話番号となる呼出情報（ＩＤ情報）を記憶し、車載インタフェース１１８が車載機９１の携帯インタフェース１０８との間で例えば光信号により通信し、制御部１１９が各種の制御を行う。
【００１７】
ここで、車載機９１のメモリ１０７に記憶される呼出情報（ＩＤ情報）と携帯機９２のメモリ１１７に記憶される呼出情報（ＩＤ情報）としては、同一の情報が設定される。
また、車載機９１と携帯機９２とは、携帯機９２が置台９３に置かれた状態では携帯インタフェース１０８と車載インタフェース１１８との間で通信することが可能であるが、例えば、携帯機９２が置台９３から取り外されて持ち運ばれる状態では携帯インタフェース１０８と車載インタフェース１１８との間では通信しない。
【００１８】
本例では、携帯機９２が置台９３にセットされている（置かれている）状態では、携帯機９２は特に機能せず、基地局装置Ｇ１〜Ｇｐからの受信や、基地局装置Ｇ１〜Ｇｐへの送信や、キー入力や、表示出力や、音声入力や、音声出力などは全て車載機９１により行われる。
一方、携帯機９２が置台９３から取り外された状態では、携帯機９２により基地局装置Ｇ１〜Ｇｐからの受信や、基地局装置Ｇ１〜Ｇｐへの送信や、キー入力や、表示出力や、音声入力や、音声出力などの全てが行われ、この状態では、車載機９１により基地局装置Ｇ１〜Ｇｐからの受信や、表示出力や、音声出力のみが行われる。つまり、車載機９１と携帯機９２とは同一の呼出情報（ＩＤ情報）が設定されており、受信は両方で同時に行うことが可能であるが、送信は何れか片方が行う構成となっている。
【００１９】
なお、置台９３から取り外された携帯機９２は、車載機９１を介さずに、基地局装置Ｇ１〜Ｇｐとの間で直接的に無線通信する。この点は、通常の親子電話の子機とは異なる点であると考えられる。
また、携帯機９２が置台９３にセットされた状態や置台９３から取り外された状態は、車載機９１や携帯機９２により検出されて、それぞれの制御部１０９、１１９によりそのときの状態に応じて実行可能な機能（或いは、実行不可能な機能）が設定される。
【００２０】
また、車載機９１では、複数のスピーカやハンドセットを有しており、例えば、携帯機９２が置台９３から取り外された状態では、基地局装置Ｇ１〜Ｇｐから携帯機９２へ送信される通話の内容をスピーカやハンドセットから音声出力するとともに、携帯機９２から基地局装置Ｇ１〜Ｇｐへ送信される通話の内容をスピーカやハンドセットから音声出力することができる。
一例として、消防車などに移動局装置Ｉ１〜Ｉｑが設けられており、当該消防車などが火災などの現場にいて、或る隊員が携帯機９２を持って当該消防車などの外部に出て活動し、他の隊員が当該消防車などの内部で待機する際に、当該他の隊員は車載機９１から出力される音声を聞くことにより、携帯機９２と基地局装置Ｇ１〜Ｇｐとの間で行われる通話の内容を聞くことができる。
なお、例えば、基地局装置Ｇ１〜Ｇｐから移動局装置Ｉ１〜Ｉｑへの下りの通信と、移動局装置Ｉ１〜Ｉｑから基地局装置Ｇ１〜Ｇｐへの上りの通信とでは、異なる周波数が用いられる。
【００２１】
また、基地局装置Ｇ１〜Ｇｐの側（例えば、指令装置７１）と移動局装置Ｉ１〜Ｉｑとの間の通信としては、例えば、プレストーク通信が行われる構成が用いられてもよく、或いは、通常の携帯電話のような両方向同時通信が行われる構成が用いられてもよく、或いは、他の態様の通信が行われる構成が用いられてもよい。また、基地局装置Ｇ１〜Ｇｐの側から移動局装置Ｉ１〜Ｉｑへ報知のための情報を送信して、移動局装置Ｉ１〜Ｉｑが当該情報の受信に応じて当該情報を（自動的に）出力するような構成を用いることもできる。
【００２２】
消防車の場合には、例えば、プレストーク通信が用いられ、指令装置７１から複数の消防車の移動局装置Ｉ１〜Ｉｑを呼び出してグループ通信（例えば、事業リンクでのグループ通信）し、このグループ内でプレストーク通信することにより、これら複数の消防車により同一の火災現場の処置を行うことができる。
救急車の場合には、例えば、通常の電話のような通信が用いられ、発話（発呼）及び受話により通話を行うことができる。
また、例えば、車載機９１と携帯機９２との間で離れた所でも無線により通信することが可能な機能を車載機９１及び携帯機９２に設けることも可能である。この場合、一例として、トンネル内などの不感地帯で携帯機９２を車両の外部に持ち出すときに、車載機９１と携帯機９２をトランシーバのように用いて互いに通話することができる。
【００２３】
以下の実施例では、消防車や救急車などの車両に設けられる移動局装置Ｉ１〜Ｉｑに適用することが可能な装置の例を示す。
例えば、消防車や救急車では、前の席と後ろの席とが区切られていることも多く、これらの席に存する人の間で直接的に会話することが困難であることも多い。
そこで、車両の前側の席などに無線設備を設け、前側の席に第１のハンドセットを設け、後ろ側の席に第２のハンドセットを設ける。そして、前側の席に存する人が第１のハンドセットを使用し、後ろ側の席に存する人が第２のハンドセットを使用することで、これらのハンドセット間での通話を行うことを可能とする。また、第１のハンドセット或いは第２のハンドセットと外部の基地局装置などとの間で車載機の無線部１０２を介して無線通信することができる。
また、ハンドセットとしては、例えば、マイクとスピーカを有するものが用いられるが、他の構成例として、マイクのみ或いはスピーカのみを用いることも可能である。
【００２４】
図３には、本発明の実施の形態に係る本例の車載機９１のブロック構成例を示してある。
本例の車載機は、通話用のハンドセット５１と、スピーカ１０６と、切替ボックス５３と、デジタル無線設備５４を備えている。切替ボックス５３及びデジタル無線設備５４は、前述した図２の無線部１０２及び制御部１０９に相当するブロックである。
また、制御部１０９の機能として切替ボックス５３の機能を含んでいるか、若しくは、ハード的に切替ボックスを構成して制御部１０９より制御してもよい。
本例では、車両の前部にハンドセット５１と切替ボックス５３とデジタル無線設備５４を設置してあり、当該車両の後部にスピーカ５２を設置してある。
【００２５】
ハンドセット５１は、マイク（マイクロホン）５１ａと、スピーカ５１ｂを有している。
切替ボックス５３は、切替制御用の切替スイッチ６１と、オーディオ信号用の増幅器（図示せず）を内蔵している。
デジタル無線設備５４は、Ａ／Ｄ（Ａｎａｌｏｇ  ｔｏ  Ｄｉｇｉｔａｌ）変換部７１と、Ｄ／Ａ（Ｄｉｇｉｔａｌ  ｔｏ  Ａｎａｌｏｇ）変換部７２と、音声コーデック部７３と、デジタル信号処理部７４と、送受信部７５と、アンテナ７６を有している。
【００２６】
切替スイッチ６１は、ハンドセット５１のマイク５１ａとＡ／Ｄ変換部７１とを接続する状態（通信側に接続された状態）と、ハンドセット５１のマイク５１ａとスピーカ５２とを接続する状態（スピーカ側に接続された状態）とを切り替える。
ここで、切替スイッチ６１は、例えば、切替ボックス５３或いはハンドセット５１などに設けられたボタンなどが人により操作されることにより切り替えられてもよく、或いは、デジタル無線設備５４に設けられたＣＰＵなどの制御部（図示せず）により自動的に切り替え制御されてもよい。
また、ハンドセット５１を複数備えた構成の場合には、切替ボックス５３の切替スイッチ６１を各々備え、何れかのハンドセットのマイク５１ａの入力がされる場合には、他のハンドセットのスピーカ５１ｂが出力となるようにスイッチ制御される。
【００２７】
本例の移動局装置において行われる動作の例を示す。
ハンドセット５１により無線通信を行う場合には、図３に示される経路（通信側に接続された状態）となるように切替ボックス５３の切替スイッチ６１が設定され、ハンドセット５１のマイク５１ａとＡ／Ｄ変換部７１とが接続される。
車両の前部に存する人（使用者）は、ハンドセット５１を使用して、マイク５１ａに音声を入力し、スピーカ５１ｂから出力される音声を聞く。
この場合、ハンドセット５１のマイク５１ａに入力された音声のアナログ信号が、切替ボックス５３を介してデジタル無線設備５４に入力され、Ａ／Ｄ変換部７１によりデジタル信号へ変換され、音声コーデック部７３により音声符号化され、デジタル信号処理部７４により変調処理され、送受信部７５によりアンテナ７６から無線送信される。
また、アンテナ７６を介して送受信部７５により受信された信号（受信信号）が、デジタル信号処理部７４により復調処理され、音声コーデック部７３により復号処理され、Ｄ／Ａ変換部７２によりアナログ信号へ変換され、ハンドセット５１のスピーカ５１ｂに入力される。これにより、受信信号に含まれる音声がハンドセット５１のスピーカ５１ｂから出力される。
【００２８】
車両の前部に設置されたハンドセット５１から車両の後部に設置されたスピーカ５２に対して同一の車両内での連絡通信をする場合には、例えば車両の前部に設置された切替ボックス５３の切替スイッチ６１を人により手動操作することで、別の経路（スピーカ側に接続された状態）となるように切替ボックス５３の切替スイッチ６１が設定され、ハンドセット５１のマイク５１ａとスピーカ５２とが接続される。
車両の前部に存する人（使用者）は、ハンドセット５１を使用して、マイク５１ａに音声を入力し、スピーカ５１ｂから出力される音声を聞く。
車両の後部に存する人（使用者）は、スピーカ５２から出力される音声を聞く。
この場合、ハンドセット５１のマイク５１ａに入力された音声のアナログ信号が、切替ボックス５３を介してスピーカ５２から出力される。これにより、車両の前部の人から車両の後部の人に対して連絡通信が行われる。
【００２９】
また、ハンドセット同士で（本例では、ハンドセット５１からスピーカ５２へ）連絡通信しているときに、デジタル無線設備５４により基地局装置などからの信号を無線受信した場合には、一例として、ハンドセット同士での通信をそのままにして、一つ以上（全てでもよい）のハンドセットにおいて音や振動や光などを出力して使用者に報知するように制御することができ、他の一例として、切替ボックス５３の切替スイッチ６１を強制的に図３（通信側に接続された状態）に示される経路のように無線通信を行う経路へ切り替えて、ハンドセット同士での通信を切断して無線通信を有効にするように制御することができる。
【００３０】
以上のように、本例の移動局装置では、ハンドセット５１により外部の基地局装置などとの間で無線通信する状態と、車両の前部に設置されたハンドセット５１から車両の後部に設置されたスピーカ５２へ同一車両内での連絡通信をする状態とを切り替えることができ、消防車や救急車などにおける作業を効率化することができる。
【００３１】
なお、本例では、移動体として消防車や救急車などの車両が用いられており、移動体に移動局装置（通信装置）が設けられており、移動局装置は無線設備本体とそれに着脱可能な携帯無線機から構成されている（本例では、携帯無線通信手段を有する携帯無線機については図示を省略してある）。
【００３２】
つぎに、本発明の実施の形態に関る表示部に関する実施例を説明する。
図４〜図６は、本発明の実施の形態に係る各種の表示例を示す図であり、ここでは、車載の表示部に表示された一覧情報より、項目（病院）を選択し、選択した情報（本例では、病院の情報）の連絡先情報を表示し、この表示された連絡先をスイッチすることにより、当該情報（本例では病院）との通信状態を成立させるものである。
【００３３】
図４は、例えば救急車に前述した移動局装置を搭載している場合に、車載機に接続された表示部に表示された一例を示しており、救急車における業務を行う状態として、例えば本図のような初期画面が表示される。
そして、例えば病人などを救急に搬送する場合など、直近の病院の現況を確認する必要が生じた場合、図中の「直近病院現況検索」を選択し、「確認」をタッチ（ボタンの押下と同等）し、図５に移行する。
【００３４】
図５は、例えば選択した病院における具体的な診療科目が表示された一例を示しており、検索したい科目の選択を行い、当該選択を行うと選択した科目が強調表示（例えば、色が変わる、反転表示、など）される。
そして、検索開始を選択（押下）すると、ホストコンピュータへ検索依頼が送信される。
なお、検索を中止したい場合は「中断」ボタンを選択する。
【００３５】
図６では、選択した科目に基づいてホストコンピュータが検索が終了すると、当該病院における当該科目の検索結果を受信してその一覧が表示がされる一例を示す。
具体的には、検索した病院科目が表示され、一覧表示の現在の頁数が示され、また、一覧される最大頁数が示される。
また、続けて他の科目にて検索したい場合には「再検索」を選択すると、病院科目の選択画面に戻ることができる。
また、「終了」を選択すると、初期画面である図４の画面に戻る。
また、前頁に戻りたい場合や、次頁に進む場合には、各々「前頁」「次頁」を選択するが、ここで、「前頁」の場合には現在の画面が１頁目の場合は無効となり、また、「次頁」の場合に現在の画面が最大頁の場合は無効となる。
なお、例えば、反転表示（白ヌキ）等の強調表示の場合には、他の救急車が搬送中の病院を示すことができ、ここでいう他の救急車の搬送中の場合には、他の救急隊が当該病院に搬送決定し搬送している場合で、その救急事案が終了するまで強調表示されることを示す。
【００３６】
上述したように、直近の病院の所定の科目を選択すると、当該病院に関する、救急用空病床数を表示し、当該病院にある科目を表示することができる。
また、必要に応じて、空きベッド数などを表示することもできる。
また、選択した病院、科目に電話番号の情報が表示されている場合には、当該電話番号を選択（押下）することで、当該病院または科目への電話通信が確立される。
そして、当該病院への搬送を決定すると、その旨を「搬送病院決定」を選択することで、ホストコンピュータへ送信し、ホストコンピュータに登録される。
また、前述した電話通信の確立においては、無線通信そのものは車載無線機の本体が行うが、通話そのものは、ハンドセットを用いて行うことができる。
【００３７】
以上の本発明に係る実施の形態によると、車載無線機およびそれに接続されたハンドセットにより必要な情報をホストコンピュータと無線通信を行うことで表示することができ、それらの表示に基づいて、必要な電話通信などを確立することができる。
また、本実施の形態では、自動車の車両に移動局装置を搭載する場合を示したが、例えば、列車や船舶などの種々な移動体に移動局装置を搭載することも可能である。
【図面の簡単な説明】
【００３８】
【図１】本発明の実施の形態に係る防災デジタル無線システムの一例である消防デジタル無線システムの構成例。
【図２】本発明の実施の形態に係る車載機及び携帯機のブロック図。
【図３】本発明の実施の形態に係る本例の車載機のブロック構成例。
【図４】本発明の実施の形態の表示画面例（車載機に接続された表示部に表示された一例）。
【図５】本発明の実施の形態の表示画面例（具体的な診療科目が表示された一例）。
【図６】本発明の実施の形態の表示画面例（当該病院における当該科目の検索結果を受信してその一覧が表示がされる一例）。
【符号の説明】
【００３９】
１・・指令装置、  ２・・回線制御装置、  １１・・操作部、  １２、３４、４４・・表示部、  １３・・記憶部、  ２１・・車載機、  ２２・・携帯機、  ２３・・置台、  Ａ１〜Ａｎ・・基地局装置、  Ｂ１〜Ｂｎ・・遠隔制御器、  Ｃ１〜Ｃｍ・・移動局装置、  ３１、４１・・アンテナ、  ３２、４２・・無線部、  ３３、４３・・キー操作部、
３５、４５・・マイク部、  ３６、４６・・スピーカ部、  ３７、４７・・メモリ、  ３８・・携帯インタフェース、  ３９、４９・・制御部、  ４８・・車載インタフェース。
【図１】
2008187483.tif 000003
【図２】
2008187483.tif 000004
【図３】
2008187483.tif 000005
【図４】
2008187483.tif 000006
【図５】
2008187483.tif 000007
【図６】
2008187483.tif 000008